【手続補正書】
【提出日】平成16年2月4日(2004.2.4)
【手続補正１】
【補正対象書類名】明細書
【補正対象項目名】特許請求の範囲
【補正方法】変更
【補正の内容】
【特許請求の範囲】
【請求項１】
隔てられた側壁、上部壁部、底部表面、上方ホイールガイド区分およびその中に備えられたホイールガイドを含むプラスチック射出成形ハウジングと、ほぼ前記ハウジングの軸に沿って移動するよう装着されたホイール軸を有するローラホイールとを含み、前記ホイール軸は前記ホイールガイド内に収められ、前記ホイールは、前記ハウジングの底部表面と前記ホイールの対面する区分との間に間隔が開くような寸法を有し、さらに、前記ハウジング内に収められ、かつ、その間隔内の、前記底部表面と前記ホイールとの間に位置する部分を含む、変形しやすいプラスチックチューブ手段を含み、上部壁部の断面の厚さ対側壁の断面の厚さの比は１．５から４．０の範囲内である、Ｉ．Ｖ．セット内で使用するためのプラスチックローラ型締め付けクランプアセンブリ。
【請求項２】
隔てられた側壁、上部壁部、底部表面、上方ホイールガイド区分およびその中に備えられたホイールガイドを含むプラスチック射出成形ハウジングと、ほぼ前記ハウジングの軸に沿って移動するよう装着されたホイール軸を有するローラホイールとを含み、前記ホイール軸は前記ホイールガイド内に収められ、前記ホイールは、前記ハウジングの底部表面と前記ホイールの対面する区分との間に間隔が開くような寸法を有し、さらに、前記ハウジング内に収められ、かつ、その間隔内の、前記底部表面と前記ホイールとの間に位置する部分を含む、変形しやすいプラスチックチューブ手段を含み、上部壁部の断面の厚さ対側壁の断面の厚さの比は１．２５から３．３の範囲内である、Ｉ．Ｖ．セット内で使用するためのプラスチックローラ型締め付けクランプアセンブリ。
【請求項３】
前記クランプアセンブリは、前記チューブを通る流れがそこにわたって調節され得るホイールの移動の範囲を有し、前記ホイールローラは、前記チューブを通る流れがその中で調節可能なホイールの移動の範囲にわたって、前記底部表面に対して平行に移動する、請求項１または２に記載のＩ．Ｖ．セット内で使用するためのプラスチックローラ型締め付けクランプアセンブリ。
【請求項４】
前記クリアランスは、変形されていない前記管の壁の厚さの２倍よりも小さい寸法である、請求項１または２に記載のＩ．Ｖ．セット内で使用するためのプラスチックローラ型締め付けクランプアセンブリ。
【請求項５】
前記ハウジングは１．６ｇ／ｃｍより小さい重さ対長さの比を有し、かつ、少なくとも２．３ｍｍの内径と、３．５ｍｍから４．５ｍｍの間の外径と、６８を超えるショア硬さＤとを有するポリ塩化ビニル管を完全に締め付けて遮断することのできる強さを有する、請求項１または２に記載のプラスチックローラ型締め付けクランプアセンブリ。
【請求項６】
前記側壁の厚さは、締め付けられるチューブが変形されない状態にあるときのその壁の厚さの２倍よりも薄い、請求項１または２に記載のプラスチックローラ型締め付けクランプアセンブリ。
【請求項７】
前記側壁は、前記プラスチック管の壁の厚さの０．８倍から２倍の間である、請求項１または２に記載のプラスチックローラ型締め付けクランプアセンブリ。
【請求項８】
前記流れ制御領域内の側壁の断面は、上方ホイール軸ガイド区分の厚さの３分の２より小さい、請求項１または２に記載のプラスチックローラ型締め付けクランプアセンブリ。
【請求項９】
側壁の厚さは、上方ホイール軸ガイド区分の２分の１よりも薄い、請求項８に記載のプラスチックローラ型締め付けクランプアセンブリ。
【請求項１０】
前記側壁の厚さは、前記底部壁部の厚さの２分の１よりも薄い、請求項１または２に記載のプラスチックローラ型締め付けクランプアセンブリ。
【請求項１１】
前記側壁の厚さは、前記上方ホイール軸ガイド区分または前記底部壁部のいずれかの厚さの３分の２より薄い、請求項１または２に記載のプラスチックローラ型締め付けクランプアセンブリ。
【請求項１２】
隔てられた側壁、上部壁部、底部表面、上方ホイールガイド区分およびその中に備えられるホイールガイドを含むプラスチック射出成形ハウジングと、ほぼ前記ハウジングの軸に沿って移動するよう装着されたホイール軸を有するローラホイールとを含み、前記ホイール軸は前記ホイールガイド内に収められ、前記ホイールは前記ハウジングの底部表面と前記ホイールの対面する区分との間に間隔がおかれるような寸法を有し、さらに、前記ハウジング内に収められ、かつ、その間隔内の、前記底部表面と前記ホイールとの間に位置する部分を含む、変形しやすいプラスチックチューブ手段を含み、前記クランプはハウジングの入口区分と遮断位置との間に流れが制御されない領域を有し、流れが制御されない領域における上部壁部、側壁、および底部壁部の厚さは、チューブが締め付けられて流れの制御または遮断が達成される場所における対応する部分と比較して減じられた厚さを有する、Ｉ．Ｖ．セット内で使用するためのプラスチックローラ型締め付けクランプアセンブリ。
【請求項１３】
隔てられた側壁と、上部壁部と、底部表面と、その中に備えられる上部壁部ホイールガイド区分を含む上方ホイールガイド区分とを含む、プラスチック射出成形ハウジングと、通常前記ハウジングの軸に沿って移動するよう装着されたホイール軸を有するローラホイールとを含み、前記ホイール軸は前記ホイールガイド区分内に収められ、前記ホイールは前記ハウジングの底部表面と前記ホイールの対面する区分との間に間隔がおかれるような寸法を有し、さらに、前記ハウジング内に収められ、かつ、その間隔内の、前記底部表面と前記ホイールとの間に位置する部分を含む、変形しやすいプラスチックチューブ手段を含み、前記上部壁部ホイールガイド区分はその幅対高さの比が２．０より小さい断面を有する、Ｉ．Ｖ．セット内で使用するためのプラスチックローラ型締め付けクランプアセンブリ。
【請求項１４】
Ｉ．Ｖ．セットにおいて使用するための、ローラ締付けクランプアセンブリであって、
上方および下方の左側部壁部と、上方および下方の右側部壁部と、上部壁部と、前記左および右の下方側部壁部の間の底部壁部と、左および右のホイールガイドと、を有するプラスチック射出成形ハウジングを含み、前記ハウジングは長手方向の軸を規定し、前記上部壁部は、前記ハウジングの一部に沿って延びる中央開口部を規定し、
前記左および右の上方ホイールガイドは各々、上部ホイールガイド面と下方ホイールガイド面とを有し、
前記左および右の上方側部壁部は、前記左および右のホイールガイドをそれぞれ規定し、かつ、前記上部壁部の下方を前記左および右の下方側部壁部にそれぞれ向かって延び、
前記底部壁部は、締付け面および長手方向に延びる逃げ溝を規定し、さらに、
前記ハウジングの長手方向の軸にほぼ沿って移動するよう装着されたローラホイールを含み、前記ローラホイールは、前記左および右のホイールガイドに収められるホイール軸を有し、前記ローラホイールは、該底部壁部と前記ローラホイールの対面する区分との間にチューブをクランプで締付けるためのスペースを有するような寸法を有し、前記ローラホイールの一部は、該上部壁部内に規定された該中央開口部を通じて上向きに延び、
前記左および右のホイールガイド、該上部壁部内に規定された前記中央開口部、ならびに、前記底部壁部内に規定された前記逃げ溝は、合せて、該クランプアセンブリに沿って長手方向に延びる流れ制御領域を規定し、さらに、
前記ハウジング内に収められかつ、該チューブ締付けスペース内に位置付けられる部分を有する、変形可能なプラスチックチューブを含み、
前記底部壁部の少なくとも一部は、前記流れ制御領域の長さに沿って、前記左および右の下方側部壁部よりも厚い断面厚さを有し、
前記上部壁部は、前記流れ制御領域の長さに沿って、前記底部壁部の、該締付け面を規定する部分よりも厚い断面厚さを有し、
前記左および右の上方および下方側部壁部は各々、前記流れ制御領域の長さに沿って、前記チューブが圧縮されていない状態で、該チューブの壁部の厚さの０．８倍から２．５倍の厚さを有する、ローラ締付けクランプアセンブリ。
【請求項１５】
前記左および右の上方側部壁部は、前記流れ制御領域の長さに沿って、該上部壁部よりも薄い断面厚さを有する、請求項１４に記載のローラ締付けクランプアセンブリ。
【請求項１６】
前記左および右の上方側部壁部は各々、前記流れ制御領域の長さに沿って、前記底部壁部の、該締付け面を規定する部分の最大断面厚さよりも薄い断面厚さを有する、請求項１４に記載のローラ締付けクランプアセンブリ。
【請求項１７】
前記左および右の下方側部壁部は各々、前記流れ制御領域の長さに沿って、均一な断面厚さを有する、請求項１４に記載のローラ締付けクランプアセンブリ。
【請求項１８】
前記左および右の上方側端壁部はそれぞれ前記左および右の下方側壁部に接合され、
前記ハウジングの外側部分の、前記左の下方側部壁部と上方側部壁部との交点および前記右の下方側部壁部と上方側部壁部との交点に、左および右の移行区域が規定され、
前記左および右の移行区域は各々、その断面厚さが対応する左または右の上方側部壁部から最大へと徐々に増しかつ前記最大から対応する左または右の下方側部壁部へと徐々に低減する、湾曲した面を有し、
前記上部壁部の断面厚さは、前記流れ制御領域の長さに沿って、該左および右の下方側部壁部の断面厚さの１．５倍から４．０倍である、請求項１４に記載のローラ締付けクランプアセンブリ。
【請求項１９】
前記左および右の上方側端壁部はそれぞれ前記左および右の下方側壁部に接合され、
前記ハウジングの外側部分の、前記左の下方側部壁部と上方側部壁部との交点および前記右の下方側部壁部と上方側部壁部との交点に、左および右の移行区域が規定され、
前記左および右の移行区域は各々、その断面厚さが対応する左または右の上方側部壁部から最大へと徐々に増しかつ前記最大から対応する左または右の下方側部壁部へと徐々に低減する、湾曲した面を有し、
前記上部壁部の断面厚さは、前記流れ制御領域の長さに沿って、該左および右の下方側部壁部の断面厚さの１．２５倍から３．３倍である、請求項１４に記載のローラ締付けクランプアセンブリ。
【請求項２０】
前記締付けクランプアセンブリは、流れ制御領域を含み、前記流れ制御領域における該左および右の上方および下方側部壁部の断面厚さは、前記流れ制御領域の長さに沿って、該上部壁部の断面厚さの２／３よりも薄い、請求項１４に記載のローラ締付けクランプアセンブリ。
【請求項２１】
前記クランプアセンブリは、前記チューブを通じる流れをそれにわたって調節することの可能な、ある範囲のホイール動程を有し、
前記ローラホイールは、前記チューブを通じる流れをその中で調節することの可能なホイール動程の該範囲にわたって、前記底部壁部に対して平行な関係で移動し、
前記締付けクランプアセンブリは、使用時に形成される管腔のサイズを変化させるように構成される、請求項１４に記載のローラ締付けクランプアセンブリ。
【請求項２２】
前記ローラホイールと前記底部壁部との間にクリアランスが規定され、
前記クリアランスは、前記流れ制御領域の長さに沿って、前記チューブの変形されていない壁の厚さの２倍未満の寸法である、請求項２１に記載のローラ締付けクランプアセンブリ。
【請求項２３】
前記クランプアセンブリは、該ハウジングの入口区分と遮断位置との間に、流れを制御しない領域を有し、
該上部壁部、側部壁部および底部壁部はすべて、該流れを制御しない領域において、前記壁部の、該チューブが締付けられて流れ制御または流れ遮断が達成される領域における厚さと比較して、より薄い厚さを有する、請求項１４に記載のローラ締付けクランプアセンブリ。
【請求項２４】
該上部壁部は、前記流れ制御領域の長さに沿って、その幅対高さ比が２．０未満である断面を有する、請求項１４に記載のローラ締付けクランプアセンブリ。
【請求項２５】
Ｉ．Ｖ．セットにおいて使用するための、ローラ締付けクランプアセンブリであって、
間隔をおかれた左および右の側部壁部と、上部壁部と、底部壁部と、前記底部壁部の上方に間隔をおかれたトラニオンと、を有するプラスチック射出成形ハウジングを含み、前記ハウジングは長手方向の軸を規定し、前記上部壁部は、前記ハウジングの長さの一部に沿って延びる中央開口部を規定し、
前記底部壁部は、締付け面および長手方向に延びる逃げ溝を規定し、さらに、
前記ハウジングの長手方向の軸にほぼ沿って動くよう装着されたローラホイールを含み、前記ローラホイールは、前記トラニオン内に収められかつその中で移動するホイール軸を有し、前記ローラホイールの一部は、該上部壁部内に規定される該中央開口部を通じて上向きに延び、
前記ホイールは、該底部壁部と前記ホイールの対面する区分との間にチューブをクランプで締付けるためのスペースを有するような寸法を有し、
前記トラニオン、該上部壁部内に規定された前記中央開口部、および前記底部壁部内に規定された前記逃げ溝が、合せて、該クランプアセンブリに沿って長手方向に延びる流れ制御領域を規定し、さらに、
前記ハウジング内に収められかつ、該チューブ締付けスペース内の、前記底部壁部と前記ホイールとの間に位置付けられる部分を含む、変形可能なプラスチックチューブを含み、前記チューブは、管腔を規定する壁部を有し、
前記左および右の側部壁部は各々、下方側部壁部および上方側部壁部を有し、該上方側部壁部は該トラニオンの一方を規定し、
前記それぞれの左および右の上方および下方側部壁部の間に、左および右の移行区域が規定され、
前記左および右の上方および下方側部壁部の最大断面厚さに対する、該上部壁部の断面厚さの比は、前記流れ制御領域の長さに沿って、１．３から４．０の範囲内であり、
前記左および右の上方および下方側部壁部は各々、前記流れ制御領域の長さに沿って、前記チューブの壁部が圧縮されていない状態で、該壁部の厚さの０．８倍から２．５倍の最大厚さを有する、ローラ締付けクランプアセンブリ。
【請求項２６】
Ｉ．Ｖ．セットにおいて使用するための、ローラ締付けクランプアセンブリであって、
間隔をおかれた左および右の側部壁部と、上部壁部と、底部壁部と、左および右の上方ホイールガイドと、を有するプラスチック射出成形ハウジングを含み、前記ハウジングは
長手方向の軸を規定し、前記上部壁部は、前記ハウジングの長さの一部に沿って延びる中央開口部を規定し、
前記底部壁部は、締付け面および長手方向に延びる逃げ溝を規定し、さらに、
前記ハウジングの該長手方向の軸にほぼ沿って動くよう装着されたローラホイールを含み、前記ローラホイールは、前記左および右のホイールガイド内に収められるホイール軸を有し、前記ローラホイールの一部は、該上部壁部内に規定された該中央開口部を通じて上向きに延び、
前記ホイールは、該底部壁部と前記ホイールの対面する区分との間にチューブをクランプで締付けるためのスペースを有するような寸法を有し、
前記左および右の上方ホイールガイド、該上部壁部内に規定された前記中央開口部、ならびに前記底部壁部内に規定された前記逃げ溝は、合せて、該クランプアセンブリに沿って長手方向に延びる流れ制御領域を規定し、さらに、
前記ハウジング内に収められかつ、該チューブ締付けスペース内の、前記底部壁部と前記ホイールとの間に位置付けられる部分を有する、変形可能なプラスチックチューブを含み、前記チューブは、管腔を規定する壁部を有し、
前記左および右の側部壁部は各々、上方側部壁部および下方側部壁部、ならびに、それらの間に移行区域を有し、
該左および右の上方および下方側部壁部の最大断面厚さに対する、該上部壁部の断面厚さの比は、前記流れ制御領域の長さに沿って、１．３から４．０の範囲であり、
前記上部壁部は、前記流れ制御領域の長さに沿って、前記底部壁部の、該締付け面を規定する部分の最大断面厚さよりも厚い最大断面厚さを有し、
前記ハウジングの体積対長さ比は、０．１７〜０．３９ｃｍ3／ｃｍの範囲である、ローラ締付けクランプアセンブリ。
【請求項２７】
Ｉ．Ｖ．セットにおいて使用するための、ローラ締付けクランプアセンブリであって、
間隔をおかれた左および右の側部壁部と、上部壁部と、底部壁部と、左および右のホイールガイドと、を有するプラスチック射出成形ハウジングを含み、前記ハウジングは長手方向の軸を規定し、前記上部壁部は、前記ハウジングの長さの一部に沿って延びる中央開口部を規定し、
前記側部壁部の各々は、該ホイールガイドを規定する上方側部壁部および、前記底部壁部から前記上方壁部に向かって延びる下方側部壁部を有し、
前記底部壁部は、締付け面および長手方向に延びる逃げ溝を規定し、さらに、
前記ハウジングの該長手方向の軸にほぼ沿って動くよう装着されたローラホイールを含み、前記ローラホイールは、前記左および右のホイールガイド内に収められるホイール軸を有し、前記ローラホイールの一部は、該上部壁部内に規定された該中央開口部を通じて上向きに延び、
前記ホイールは、該底部壁部と前記ホイールの対面する区分との間にチューブをクランプで締付けるためのスペースを有するような寸法を有し、
前記左および右のホイールガイド、該上部壁部内に規定された前記中央開口部、ならびに前記底部壁部内に規定された前記逃げ溝は、合せて、該クランプアセンブリに沿って長手方向に延びる流れ制御領域を規定し、さらに、
前記ハウジング内に収められかつ、該チューブ締付けスペース内の前記底部壁部と前記ホイールとの間に位置付けられる部分を有する、変形可能なプラスチックチューブを含み、前記チューブは、管腔を規定する壁部を有し、
該左および右の上方および下方側部壁部各々の最大断面厚さに対する、該上部壁部の断面厚さの比は、前記流れ制御領域の長さに沿って、１．３から４．０の範囲であり、
前記左および右の上方および下方側部壁部は各々、前記流れ制御領域の長さに沿って、圧縮されていない条件下で、前記チューブの壁の厚さの０．８倍から２．５倍の最大厚さを有し、
該左および右の上方および下方側部壁部の最大断面厚さは、前記流れ制御領域の長さに沿って、前記底部壁部の、該締付け面を規定する部分の最大断面厚さよりも薄く、
前記上部壁部の最大断面厚さは、前記流れ制御領域の長さに沿って、前記底部壁部の、該締付け面を規定する部分の最大断面厚さよりも厚く、
前記ハウジングの体積対長さ比は、０．１７〜０．３９ｃｍ3／ｃｍである、ローラ締付けクランプアセンブリ。
【請求項２８】
前記ハウジングは、中央部分をそれらの間に有する、小さい端部と、より大きい開口端部とを含み、
前記上部壁部は、前記小さい端部および前記開口端部のうち少なくとも一方において、前記ハウジングの前記中央部分における該上部壁部の断面厚さよりも薄い断面厚さを有する、請求項２７に記載のローラ締付けクランプアセンブリ。
【請求項２９】
Ｉ．Ｖ．セットにおいて使用するための、ローラ締付けクランプアセンブリであって、
底部壁部と、前記底部壁部から上に向かって延びてほぼＵ型の断面を形成する左および右の間隔をおかれた側部壁部と、を有するハウジングを含み、前記左および右の側部壁部は各々、上方側部壁部部分および下方側部壁部部分を有し、前記左および右の下方側部壁部部分は、中空のチューブをその中に収める内側キャビティを規定し、前記左および右の上方側部壁部部分は、前記左および右の下方側部壁部部分に対してほぼ平行でありかつ横方向に外向きに間隔をおかれて、前記上方側部壁部部分の長さに沿って延びる細長い溝を部分的に規定し、該ハウジングはさらに、前記それぞれの左および右の上方側部壁部部分から内向きに延びて上部壁部を形成する左および右の上方レールを有し、前記レールは前記溝の上面を形成し、前記ハウジングは長手方向の軸を規定し、前記ハウジングの長さの一部に沿って延びる中央開口部が該上部壁部内に規定され、該クランプアセンブリはさらに、
前記底部壁部に対向するローラを含み、前記ローラは、前記溝内に収められて前記ローラをハウジング流れ制御領域において前記ハウジングの該長手方向の軸に沿って移動させて前記チューブを通じる液体の流れを制御するための、外向きに延びる車軸を有し、前記車軸は、前記チューブを圧縮する際に前記側部レールに支えられ、前記ローラの一部は、
該上部壁部内に規定される該中央開口部を通じて上向きに延び、
前記上方レールは、前記ローラが前記チューブを圧縮する際の前記レールの前記底部壁部からの大きな反りに耐えるのに十分な予め定められた厚さを有し、前記側部壁部部分は、各上方レールの厚さが、前記流れ制御領域の長さに沿って、各側部壁部部分の最大厚さのおよそ１．３倍から４．０倍となるように、かつ、該底部壁部の少なくとも一部の厚さが、前記流れ制御領域の長さに沿って、該左および右の下方側部壁部部分の間で、各側部壁部部分の最大厚さよりも厚くなるように、狭められた厚さを有し、よって、前記ハウジングは、加えられる力に適正に耐えかつ前記チューブを通じる液体の流れを好適に制御するクランプの有効性を維持しながらも該ハウジング内のプラスチック材料の量を最小に抑えるように形成され、
前記底部壁部および前記上部壁部は、それらの長さに沿って実質的に均一な断面を有し、
前記左および右の上方および下方側部壁部は各々、前記流れ制御領域の長さに沿って、前記チューブが圧縮されていない状態で、該チューブの壁の厚さの０．８倍から２．５倍の最大厚さを有する、ローラ締付けクランプアセンブリ。
【請求項３０】
プラスチックローラクランプハウジングを製造する際に使用される金型を修正する方法であって、前記金型は上部壁部区分を有するローラクランプハウジングを製造するために使用されたものであり、前記方法は、成形されるハウジングの上部壁部を厚くするように、中子をキャビティに対して１つの方向に移動させるステップを含み、その移動はもともとの上部壁部の厚さの２０％から７０％の範囲内である、方法。
【請求項３１】
プラスチックローラクランプハウジングを製造する際に使用される金型を修正する方法であって、前記金型は上部壁部区分を有するローラクランプハウジングを製造するために使用され、前記方法は、前記金型のキャビティを、その内部の両側壁が互いに近づくようにするために修正し、それにより、成形される部品が、そのように修正する前の金型によって製造されたものよりもより薄い側壁を有するように変更するステップを含み、そのような変更の大きさは、前記ハウジングのもともとの壁の厚さの２５％から６０％の範囲内である、方法。
【請求項３２】
プラスチックローラクランプ用のハウジングを製造するための、中子と２つのキャビティ半体で構成される、金型を低コストで修正するための方法であって、前記ハウジングはホイール軸を支える面とチューブを締め付ける面とを含み、前記方法は、ハウジング内の重量を大いに減じる一方で、材料の強さになお応え、かつ、高速の成形要件により応ずる、ハウジング構造を製造し、さらに、前記キャビティの半体の各々を、もともとの成形部品の側壁の厚さの２５％から６０％に等しい量だけ互いに近づくように移動させ、それにより成形される部品の重量を減じるように処理するステップと、金型の中子を、そのキャビティに対して、もともとの成形部品の側壁の厚さの２０％から６０％の間の量だけ、キャビティの半体を移動させた方向とは垂直の方向に転置して、それにより、ホイール軸を支える面の曲げの強さを増し、対応して、より広いチューブを締め付ける面の厚さを減じるステップとを含む、方法。